(57)【要約】【課題】  高齢者等が通常と同じように使用できるとともに、躓いて転倒するのを防止することができる靴、靴用靴底具および室内履きを提供する。【解決手段】  この靴１は、靴底２の全長のうちの約１／５〜１／３の先端部分が、先端に向かうにつれて漸次円弧状に高くなるように形成され、残りの約４／５〜２／３の部分が、通常の靴底と同じように地面に略水平に接地するように形成されている。また、靴底２の先端部の高さＨ１は、約５．５〜８ｃｍになるように設定されている。【選択図】      図１
2006042837.tif 000002
【特許請求の範囲】
【請求項１】
靴底の先端部分が先端に向かうにつれて漸次高くなり、先端部の高さが約５．５〜８ｃｍに形成されていることを特徴とする靴。
【請求項２】
靴の靴底の下側に配置される靴底部と、この靴底部の先端部の上側に設けられ、前記靴の先端部上側を覆う突っ掛け部と、前記靴底部を前記靴に固定するための固定部材とを備え、前記靴底部の下面は、先端部分が先端に向かうにつれて漸次高くなり、先端部の高さが約５．５〜８ｃｍに形成されていることを特徴とする靴用靴底具
【請求項３】
靴の靴底の下側に配置される靴底部と、この靴底部に設けられ、前記靴のアッパーの周囲を覆うことにより前記靴底部を前記靴に固定する覆い部とを備え、前記靴底部の下面は、先端部分が先端に向かうにつれて漸次高くなり、先端部の高さが約５．５〜８ｃｍに形成されていることを特徴とする靴用靴底具
【請求項４】
前記突っ掛け部または前記覆い部に、照明具が設けられていることを特徴とする請求項２または請求項３に記載の靴用靴底具。
【請求項５】
靴底の先端部分が先端に向かうにつれて漸次高くなり、先端部の高さが約５．５〜８ｃｍに形成されていることを特徴とする室内履き。
【発明の詳細な説明】
【技術分野】
【０００１】
本発明は、靴、靴用靴底具および室内履きに係り、特に高齢者等が躓いて転倒するのを防止するのに適した靴、靴用靴底具および室内履きに関する。
【背景技術】
【０００２】
人間は加齢による身体的能力の低下から逃れることができず、高齢になると脚の力が衰える。このため、高齢者は、歩行時に、歩幅が狭くなるとともに、爪先が上がり難く、少しの段差等に躓いて転倒しやすくなる。この躓きによる転倒時の怪我や骨折が引き金になり、高齢者が寝たきり状態になることもある。
このような高齢者の躓きによる転倒を防止するための靴として、従来、爪先を切り落とした靴が提案されている（例えば、特許文献１参照）。
【０００３】
【特許文献１】特開２０００−３２５１０３号公報
【発明の開示】
【発明が解決しようとする課題】
【０００４】
しかしながら、このような従来の靴にあっては、爪先部分を切り取っているので、高齢者が歩行中に段差等に爪先をぶつけて怪我をする虞があるとともに、屋外において雨の時に使用すると爪先が濡れる虞がある。
【０００５】
本発明は、前記事情に鑑みて為されたもので、高齢者等が通常と同じように使用できるとともに、躓いて転倒するのを防止することができる靴、靴用靴底具および室内履きを提供することを目的とする。
【課題を解決するための手段】
【０００６】
前記目的を達成するために、請求項１に記載の靴は、靴底の先端部分が先端に向かうにつれて漸次高くなり、先端部の高さが約５．５〜８ｃｍに形成されていることを特徴とする。
【０００７】
この請求項１に記載の発明においては、高齢者等が使用して、歩行中に段差等があっても、靴底の先端部分が先端に向かうにつれて漸次高くなり、先端部の高さが約５．５〜８ｃｍ程度になっているので、靴の先端部が段差等に突き当たることがないため、高齢者等が通常の靴と同じように使用しつつ、躓いて転倒するのを防止することができる。
【０００８】
請求項２に記載の靴用靴底具は、靴の靴底の下側に配置される靴底部と、この靴底部の先端部の上側に設けられ、前記靴の先端部上側を覆う突っ掛け部と、前記靴底部を前記靴に固定するための固定部材とを備え、前記靴底部の下面は、先端部分が先端に向かうにつれて漸次高くなり、先端部の高さが約５．５〜８ｃｍに形成されていることを特徴とする。
【０００９】
請求項２に記載の発明においては、この靴用靴底具を通常の靴に装着すれば、歩行中に段差等があっても、靴底具の靴底部の下面の先端部分が先端に向かうにつれて漸次高くなって、先端部の高さが約５．５〜８ｃｍ程度になっているので、靴底部の先端部が段差等に突き当たることがないため、通常の靴を使用しているのと同じように歩行しつつ、躓いて転倒するのを防止することができる。さらに、この靴底具を用いれば、通常の靴を簡単に転倒防止用の靴にすることができる。
【００１０】
請求項３に記載の靴用靴底具は、靴の靴底の下側に配置される靴底部と、この靴底部に設けられ、前記靴のアッパーの周囲を覆うことにより前記靴底部を前記靴に固定する覆い部とを備え、前記靴底部の下面は、先端部分が先端に向かうにつれて漸次高くなり、先端部の高さが約５．５〜８ｃｍに形成されていることを特徴とする。
【００１１】
請求項３に記載の発明においては、この靴用靴底具を通常の靴に装着すれば、歩行中に段差等があっても、靴底具の靴底部の下面の先端部分が先端に向かうにつれて漸次高くなって、先端部の高さが約５．５〜８ｃｍ程度になっているので、靴底部の先端部が段差等に突き当たることがないため、通常の靴を使用しているのと同じように歩行しつつ、躓いて転倒するのを防止することができる。さらに、この靴底具を用いれば、通常の靴を簡単に転倒防止用の靴にすることができる。加えて、この靴底具を用いれば、靴の大部分を覆うので、靴底具が靴から容易に外れてしまうことがない。
【００１２】
請求項４に記載の靴用靴底具は、請求項２または請求項３に記載の発明において、前記突っ掛け部または前記覆い部に、照明具が設けられていることを特徴とする
【００１３】
請求項４に記載の発明においては、夜間においても足元を明るくして歩行することができ、より躓きによる転倒を防止することができる。
【００１４】
請求項５に記載の室内履きは、靴底の先端部分が先端に向かうにつれて漸次高くなり、先端部の高さが約５．５〜８ｃｍに形成されていることを特徴とする。
【００１５】
請求項５に記載の発明においては、高齢者等が使用して、歩行中に段差等があっても、靴底の先端部分が先端に向かうにつれて漸次高くなり、先端部の高さが約５．５〜８ｃｍ程度になっているので、靴の先端部が段差等に突き当たることがないため、高齢者等が通常の靴と同じように使用しつつ、躓いて転倒するのを防止することができる。
【発明の効果】
【００１６】
本発明の靴、靴用靴底具および室内履きによれば、高齢者等が使用して、歩行中に段差等があっても、靴底または靴底具の靴底部の先端部分が先端に向かうにつれて漸次高くなり、先端部の高さが約５．５〜８ｃｍ程度になっているので、靴、靴底部または室内履きの先端部が段差等に突き当たることがないため、高齢者等が通常の靴と同じように使用しつつ、躓いて転倒するのを防止することができる。
【発明を実施するための最良の形態】
【００１７】
以下、図面を参照しながら、本発明の実施形態について説明する。
図１は、本発明の第１の実施の形態に係る靴を示す側面図である。
この靴１は、靴底２（すなわちアウトソール３の下面）の全長のうちの約１／５〜１／３の先端部分が、先端に向かうにつれて漸次円弧状に高くなるように形成され、ヒール４を含めた残りの約４／５〜２／３の部分が、通常の靴底と同じように地面に略水平に接地するように形成されている。また、靴底２の先端部の高さＨ１は、約５．５〜８ｃｍになるように設定されている。
【００１８】
この靴１では、靴底２の先端部分が上方に反っているので、使用者が靴１を履いたときに、足Ｆの先端部が急激に上方に反ってしまうことがないように、通常、足の爪先が靴１内の先端まで延びておらず、足の爪先の前方に空間が形成される。この空間部に緩衝材等からなる充填部材７を設けるようにすれば、足の爪先を防護することができるとともに、靴１を足によりフィットさせることができる。
この靴１は、高齢者の使用に適したものにするために、各部材が軽量な素材で形成されている。また、アッパー６は柔軟な素材で形成され、インソール５も足当りの柔らかな素材で形成されている。
【００１９】
このような靴１にあっては、高齢者等が使用して、歩行中に段差等があっても、靴底２の先端部分が漸次円弧状に高くなって先端部の高さが約５．５〜８ｃｍ程度になっているので、靴１の先端部が段差等に突き当たることがなく、乗り越える。したがって、高齢者等が通常の靴と同じように使用しつつ、躓いて転倒するのを防止することができる。
【００２０】
また、図２に示すように、アウトソール３の厚さを厚くし、このアウトソール３の上面に凹部８を形成し、この凹部８にアウトソール３の先端部近くまで略水平にインソール５を設けるようにすると、靴底２（すなわちアウトソール３の下面）の先端部分が上方に反っていても、足の爪先を、急激に反らせることなく、靴１Ａ内の先端部近くまで延ばすことができる。インソール５は省略することも可能である。
【００２１】
なお、アウトソール３の厚さを厚くすることなく、アウトソールに凹部を形成し、この凹部にアウトソールの先端部近くまで略水平にインソールを設けるようにしても、足の爪先を、急激に反らせることなく、インソールの先端部近くまで延ばすことができる。
【００２２】
このような靴１Ａにあっては、高齢者等が通常の靴と同じように使用できるとともに、躓いて転倒するのを防止することができ、さらに足の爪先を靴１Ａ内の先端部近くまで延ばすことができるので、段差等と足先との距離感を認識し易くすることができる。
【００２３】
なお、図１および図２の靴１、靴１Ａでは、ヒール４がアウトソール３に一体的に形成されているが、ヒール４をアウトソール３と別体に形成するようにしてもよいし、あるいはヒールを設けなくても良い。
また、靴底２の先端部分を先端に向かうにつれて漸次円弧状に高くなるように形成したが、先端に向かうにつれて漸次直線状に高くなるように形成してもよいし、さらには円弧状と直線状とが混在するようにして高くなるように形成してもよい。
また、靴１、靴１Ａとしては、革靴、運動靴あるいはスニーカー等の種々の履物に適用できる。
【００２４】
図３および図４は、本発明の第２の実施の形態に係る靴用靴底具を示す側面図である。
この靴用靴底具１０は、通常の靴Ａに装着される。靴底具１０は、靴底部１１と、靴底部１１に設けられた２本のゴムバンドからなる固定部材１２と、靴底部１１の上面の先端部分に設けられ、靴Ａの先端部分が挿入される突っ掛け部１３とを備えている。
靴底部１１の下面１４の全長のうちの約１／５〜１／３の先端部分が、先端に向かうにつれて漸次円弧状に高くなるように形成され、残りの約４／５〜２／３の部分が、地面に略水平に接地するように形成されている。また、靴底部１１の先端部の高さＨ２は、約５．５〜８ｃｍになるように設定されている。
【００２５】
この靴底具１０は、靴底部１１上に靴Ａのアウトソールａが載せられるとともに、突っ掛け部１３に靴Ａの先端部分が挿入され、そして固定部材１２である２本のゴムバンドのうちの１本で靴Ａのアッパーｂの甲の部分を締め付けるとともに、他の1本で靴Ａのアッパーｂの踵の部分を締め付けることにより、靴Ａに装着される。
なお、固定部材としては、靴底部１１を靴Ａに固定するものであれば良く、バンドに限らず、他の種々のものを用いることができる。
【００２６】
この靴底具１０においては、靴底部１１の先端部分が上方に反っているので、使用者が靴Ａに靴底具１０を装着したときに、靴Ａの先端部が急激に上方に反ってしまうことがないように、通常、靴Ａの先端が靴底部１１の先端まで延びておらず、靴Ａの先端と突っ掛け部１３との間に空間が形成される。この空間部に充填部材を設けたり、あるいは、突っ掛け部１３自体を緩衝材等で形成するとともにその厚さを厚くして前記空間部を埋めるようにすれば、足の爪先を防護することができるとともに、靴１を足によりフィットさせることができる。
この靴底具１０は、高齢者の使用に適したものにするために、各部材が軽量な素材で形成されている。
【００２７】
このような靴底具１０を用いれば、歩行中に段差等があっても、靴底部１１の下面１４の先端部分が漸次円弧状に高くなって先端部の高さが約５．５〜８ｃｍ程度になっているので、靴底部１０の先端部が段差等に突き当たることがなく、乗り越える。したがって、通常の靴Ａを使用しているのと同じように歩行しつつ、躓いて転倒するのを防止することができる。
さらに、この靴底具１０を用いれば、通常の靴を簡単に転倒防止用の靴にすることができる。
【００２８】
なお、この靴底部１１の上面に凹部を形成し、この凹部に靴Ａのアウトソールａを靴底部１１の先端部近くまで略水平になるように載せるようにすると、靴底部１１の下面の先端部分が上方に反っていても、靴Ａの先端部を、急激に反らせることなく、靴底部１１の先端部近くまで延びるようにすることができる。また、靴底部１１の厚さを厚くして、靴底部１１の上面に凹部を形成するようにすると、靴Ａの先端部を靴底部１１の先端部近くまでさらに延びるようにすることができる。
また、夜間に第三者から靴底具１０を視認し易くするために、靴底具１０の前後、左右等に蛍光塗料等の蛍光手段を付加するようにしてもよい。
【００２９】
図５は、本発明の第３の実施の形態に係る靴用靴底具を示す側面図である。
この靴用靴底具１０Ａは、突っ掛け部１３の先端部に、ライト等の照明具１７が設置されている。その他の構成は図３および図４の実施の形態と同様であるので、同一構成要素に同一符号を付してその説明を省略する。
この靴底具１０Ａを用いれば、夜間においても足元を明るくして歩行することができ、より躓きによる転倒を防止することができる。
【００３０】
図６および図７は、本発明の第４の実施の形態に係る靴用靴底具を示す側面図である。
この靴用靴底具２０は、いわばオーバーシューズ型のものであって、通常の靴Ａに装着される。靴底具２０は、靴底部２１と、靴底部２１に設けられ、靴Ａが挿入されて該靴Ａの大部分を覆うことにより靴底部２１を靴Ａに固定する覆い部２２とを備えている。
靴底部２１の下面２４の全長のうちの約１／５〜１／３の先端部分が、先端に向かうにつれて漸次円弧状に高くなるように形成され、残りの約４／５〜２／３の部分が、地面に略水平に接地するように形成されている。また、靴底部２１の先端部の高さＨ３は、約５．５〜８ｃｍになるように設定されている。
【００３１】
この靴底具２０は、覆い部２２の上部の開口２５から靴Ａが挿入され、靴底部２１上に靴Ａのアウトソールａが載せられるとともに、靴Ａのアッパーｂの上端部を残して靴Ａが覆い部２２により覆われることにより、靴Ａに装着される。
【００３２】
この靴底具２０においては、靴底部２１の先端部分が上方に反っているので、使用者が靴Ａに靴底具２０を装着したときに、靴Ａの先端部が急激に上方に反ってしまうことがないように、通常、靴Ａの先端が靴底部２１の先端まで延びておらず、靴Ａの先端と覆い部２２の先端部との間に空間が形成される。この空間部に緩衝材等からなる充填部材を設けるようにすれば、足の爪先を防護することができるとともに、靴１を足によりフィットさせることができる。
この靴底具２０は、高齢者の使用に適したものにするために、各部材が軽量な素材で形成されている。また、覆い部２２は、靴Ａにより密着するように弾性を有する素材により形成するようにしてもよい。
【００３３】
このような靴底具２０を用いれば、歩行中に段差等があっても、靴底部２１の下面２４の先端部分が漸次円弧状に高くなって先端部の高さが約５．５〜８ｃｍ程度になっているので、靴底部１０の先端部が段差等に突き当たることがなく、乗り越える。したがって、通常の靴Ａを使用しているのと同じように歩行しつつ、躓いて転倒するのを防止することができる。
さらに、この靴底具２０を用いれば、通常の靴を簡単に転倒防止用の靴にすることができる。
さらには、この靴底具２０を用いれば、靴Ａの大部分を覆うので、靴底具２０が靴Ａから容易に外れてしまうことがない。
【００３４】
なお、この靴底部２１の上面に凹部を形成し、この凹部に靴Ａのアウトソールａを靴底部２１の先端部近くまで略水平になるように載せるようにすると、靴底部２１の下面の先端部分が上方に反っていても、靴Ａの先端部を、急激に反らせることなく、靴底部２１の先端部近くまで延びるようにすることができる。また、靴底部２１の厚さを厚くして、靴底部２１の上面に凹部を形成するようにすると、靴Ａの先端部を靴底部２１の先端部近くまでさらに延びるようにすることができる。
また、突っ掛け部１３の先端部に、ライト等の照明具が設置するようにしてもよい。
【００３５】
図８は、本発明の第５の実施の形態に係る室内履きを示す側面図である。
この室内履き３０は、室内で履く履物である。室内履き３０は、靴底３１（すなわち靴底部３２の下面）の全長のうちの約１／５〜１／３の先端部分が、先端に向かうにつれて漸次円弧状に高くなるように形成され、残りの約４／５〜２／３の部分が、通常の靴底と同じように地面に略水平に接地するように形成されている。また、靴底３１の先端部の高さＨ４は、約５．５〜８ｃｍになるように設定されている。
【００３６】
この室内履き３０では、靴底３１の先端部分が上方に反っているので、使用者が室内履き３０を履いたときに、足の先端部が急激に上方に反ってしまうことがないように、通常、足の爪先が室内履き内の先端まで延びておらず、足の爪先の前方に空間が形成される。この空間部に緩衝材等からなる充填部材を設けるようにすれば、足の爪先を防護することができるとともに、靴１を足によりフィットさせることができる。
この室内履き３０は、高齢者の使用に適したものにするために、各部材が軽量な素材で形成されている。
【００３７】
このような室内履き３０にあっては、高齢者等が使用して、歩行中に段差等があっても、靴底３１の先端部分が漸次円弧状に高くなって先端部の高さが約５．５〜８ｃｍ程度になっているので、室内履き３０の先端部が段差等に突き当たることがなく、乗り越える。したがって、高齢者等が通常の靴と同じように使用しつつ、躓いて転倒するのを防止することができる。
【００３８】
なお、この靴底部３２の上面に凹部を形成し、この凹部に足を乗せるようにすると、靴底３１（すなわち靴底部３２下面）の先端部分が上方に反っていても、足の爪先を、急激に反らせることなく、室内履き３０内の先端部近くまで延びるようにすることができる。また、靴底部３２の厚さを厚くして、靴底部３２の上面に凹部を形成するようにすると、足の爪先を室内履き３０内の先端部近くまでさらに延びるようにすることができる。
【図面の簡単な説明】
【００３９】
【図１】本発明の第１の実施形態に係る靴を示す側面図である。
【図２】本発明の第１の実施の形態の変形例に係る靴を示す側面図である。
【図３】本発明の第２の実施の形態に係る靴用靴底具を示す図であって、装着前の状態を示す側面図である。
【図４】同、装着後の状態を示す側面図である。
【図５】本発明の第３の実施の形態に係る靴用靴底具を示す側面図である。
【図６】本発明の第４の実施の形態に係る靴用靴底具を示す図であって、装着前の状態を示す側面図である。
【図７】同、装着後の状態を示す側面図である。
【図８】本発明の第５の実施の形態に係る室内履きを示す側面図である。
【符号の説明】
【００４０】
１、１Ａ    靴
２    靴底
１０、２０  靴用靴底具
１１、２１    靴底部
１２    固定具
１３    突っ掛け部
１４、２４    下面
２２    覆い部
１７    照明具
３０    室内履き
３１    靴底
【図１】
2006042837.tif 000003
【図２】
2006042837.tif 000004
【図３】
2006042837.tif 000005
【図４】
2006042837.tif 000006
【図５】
2006042837.tif 000007
【図６】
2006042837.tif 000008
【図７】
2006042837.tif 000009
【図８】
2006042837.tif 000010